(57)【要約】【課題】円滑な把手の引き出し及び収納が可能であり、且つ、付属品の収納状態が簡単に確認できる情報処理装置用把手付きケースの提供。【解決手段】ケース本体と該ケース本体に開閉可能に接続される蓋体とを備えるケースと、該ケースに対して出入可能な把手を備えた情報処理装置用把手付きケースにおいて、ケース本体の外面若しくは蓋体の外面の少なくともいずれかに、情報処理装置の付属品を収納するための収納凹部を形成し、収納凹部を含むケース本体の外面若しくは収納凹部を含む蓋体の外面に、伸縮性のネット部材からなるポケットを備えた情報処理装置用把手付きケースを、解決手段とする。【選択図】図１
0003149829.tif 000002
【実用新案登録請求の範囲】
【請求項１】
ケース本体と該ケース本体に開閉可能に接続される蓋体とを備えるケースと、該ケースに対して出入可能な把手を備えた情報処理装置用把手付きケースにおいて、
ケース本体の外面若しくは蓋体の外面の少なくともいずれかに、情報処理装置の付属品を収納するための収納凹部を形成し、
収納凹部を含むケース本体の外面若しくは収納凹部を含む蓋体の外面に、伸縮性のネット部材からなるポケットを備えたことを特徴とする情報処理装置用把手付きケース。
【請求項２】
把手は、把持部と把持部の両端を基端として下方に延設される脚部とを備え、脚部の先端相互を結ぶラインを回動軸とし、脚部の上端から基端までの間で当該脚部が湾曲した構成を備え、
ケース本体若しくは蓋体の内面に沿って回動軸を配置することで、把持部が回動操作によりケースに対して出入可能となり、
且つ、収納凹部の形成によって形成されるケース本体若しくは蓋体の内面に形成される凸部に把持部が干渉しない構成としたことを特徴とする請求項１記載の情報処理装置用把手付きケース。
【請求項３】
ケース本体と蓋体との閉状態における把手の回動範囲となる位置に開口部を形成し、該開口部をシート部材で開閉可能に被覆したことを特徴とする請求項１又は２記載の情報処理装置用把手付きケース。
【請求項４】
シート部材の幅Ｗ１は、把手における内幅Ｗ２より小さいものとし、把手引き出し状態においてシート部材が把手内を通って開口部を被覆する構成としたことを特徴とする請求項３記載の情報処理装置用把手付きケース。
【考案の詳細な説明】
【技術分野】
【０００１】
本考案は、いわゆるノート型情報処理装置（例えば、持ち運びに適したモバイルノート型パソコン、ポータブルＤＶＤプレーヤ、ノート型電子ゲーム機等）を外部の衝撃等から保護するための把手付きケースに関する。
【背景技術】
【０００２】
いわゆるモバイル用途としてのノート型情報処理装置は軽量化、薄厚化が進み、近年、性能が飛躍的に向上し、より実用性が向上している。一方で、軽量化、薄厚化されたノート型情報処理装置本体の強度は低下しやすい傾向にある。
このため、以前にも増してノート型情報処理装置を保護するための情報処理装置用ケースの必要性が高まっている。
【０００３】
このような情報処理装置用ケースは、ビジネスバッグ等の手提げ鞄の中に、インナーケースとして収納されるのが一般的である。このため、多くの情報処理装置用ケースは把手を有さず、ノート型情報処理装置の大きさに応じてなるべく薄くて軽量なものとなっている。
【０００４】
その一方で、薄くて軽量なインナーケースとして利用される情報処理装置用ケースにつき、付属品等を合わせて収納でき、コンパクトでありながら利便性を向上させる情報処理装置用ケースがある。
【０００５】
ところが、このような情報処理装置用ケースの多くは、手提げ鞄内での収納効率の向上を図る点では良好であるものの、把持する部分が特定されておらず、またケース内に重量のある情報処理装置が偏った状態で収納されているため、不用意にケース内の情報処理装置が移動することで使用者が手提げ鞄から取り出す際等に床等へ落下させることもある。勿論、情報処理装置用ケースによって落下時にある程度の保護はされるものの、情報処理装置に衝撃が加わることは避けられず、度重なる落下は故障や事故の原因となる。
【０００６】
収納性を考慮した把手を有する情報処理装置用ケースとしては、例えば、ケースの外面に切込みを設け、切込み内に把手を格納し、携帯時に外側へ引っ張り出して把手を備え、内部に収納部を備えた情報処理装置用ケースが公知である（例えば、特許文献１参照。）。
【０００７】
また、付属品の収納スペースを設けた他の例としては、例えば、ケース本体内に、情報処理装置を収容するためのメイン領域と、大容量バッテリを収容するためのサブ領域とを設け、サブ領域に大容量バッテリを収容しない場合に、他の周辺物品を収容し得る情報処理装置用携帯ケースが公知である（例えば、特許文献２参照。）。このような情報処理装置用ケースは、十分な電力の供給手段を携帯でき、長時間の情報処理装置の使用を可能とする利点を有する。
【先行技術文献】
【特許文献】
【０００８】
【特許文献１】特開２００２−３３６０２２号公報  第４図
【特許文献２】特開平１１−３４２０１８号公報  請求項６
【考案の概要】
【考案が解決しようとする課題】
【０００９】
上記特許文献１に係る情報処理装置用ケースは、上記したように、ケース内に収納部を有している。ところが、この収納部に収納対象物を収納すると、ケースの外部が膨らむことで、前記した把手が外方向に圧迫され、把手の取出し及び収納が困難となりやすい欠点がある。
【００１０】
特許文献２に係る情報処理装置用ケースは、大容量バッテリを収容して利用する際には、供給される電力が有限であるが、大容量バッテリを収容しない場合には、その他の周辺物品としてＡＣアダプタを収納することも可能である。しかしながら、先に示した、ケース内に重量のある情報処理装置が偏った状態で収納されているため、不用意にケース内の情報処理装置が移動することで使用者が手提げ鞄から取り出す際等に床等へ落下させる欠点を解消できるものではなかった。
【００１１】
ところで、ＡＣアダプタを含めた付属品類は、情報処理装置と比して重量も小さくしばしば使用者の不注意により収納し忘れることが散見される。ところが、このような付属品を収容したかどうか確認しようとすると、上記特許文献１及び特許文献２に係る情報処理装置用ケースは基本的に内部に収納する構成であることから、一旦、収納状態とすると（情報処理装置自体が収納されているか否かは重量ですぐに判別できるものの、）付属品を収容しているかどうかの確認は当該情報処理装置を開放し直して、直接目視で確認しなければならない不便さがあった。また、急いで中を確認する際に、収納された情報処理装置を落下させる危険もある。
【００１２】
本考案は、以上の事情に鑑みてなされたものであり、円滑な把手の引き出し及び収納が可能であり、且つ、付属品の収納状態が簡単に確認でき、付属品の確認の際に不用意に情報処理装置を落下させる危険性もなく、体裁のよい、優れた情報処理装置用把手付きケースの提供を、考案が解決しようとする課題とする。
【課題を解決するための手段】
【００１３】
本考案は、ケース本体と該ケース本体に開閉可能に接続される蓋体とを備えるケースと、該ケースに対して出入可能な把手を備えた情報処理装置用把手付きケースにおいて、ケース本体の外面若しくは蓋体の外面の少なくともいずれかに、情報処理装置の付属品を収納するための収納凹部を形成し、収納凹部を含むケース本体の外面若しくは収納凹部を含む蓋体の外面に伸縮性のネット部材からなるポケットを備えたことを特徴とする情報処理装置用把手付きケースを、課題を解決する手段とする。
【００１４】
また、本考案は、当該構成に加えて、前記把手は、把持部と把持部の両端を基端として下方に延設される脚部とを備え、脚部の先端相互を結ぶラインを回動軸とし、脚部の上端から基端までの間で当該脚部が湾曲若しくは折曲した構成を備え、ケース本体若しくは蓋体の内面に沿って回動軸を配置することで、把持部が回動操作によりケースに対して出入可能となり、且つ、収納凹部の形成によって形成されるケース本体若しくは蓋体の内面に形成される凸部に把持部が干渉しない構成としたことを特徴とする情報処理装置用把手付きケースを、課題を解決するための手段とする。
【考案の効果】
【００１５】
請求項１に係る考案によれば、ケース本体と該ケース本体に開閉可能に接続される蓋体とを備えるケースと、該ケースに対して出入可能な把手を備えた情報処理装置用把手付きケースにおいて、ケース本体の外面若しくは蓋体の外面の少なくともいずれかに、情報処理装置の付属品（例えば、ＡＣアダプタ等）を収納するための収納凹部を形成し、収納凹部を含むケース本体の外面若しくは収納凹部を含む蓋体の外面に、伸縮性のネット部材からなるポケットを備えたことから、収納凹部内に収納された情報処理装置の付属品がネット部材の網目を介して目視で確認することができ、付属品の確認の際に不用意に情報処理装置を落下させる危険性もない。また、当該収納凹部内の付属品はネット部材によって収納凹部内で固定され、把手を持って移動する際に、仮に揺れや振動等が収納凹部に作用しても前記ネット部材が伸縮性を備えた構成であるため、付属品の移動や落下を阻止し、付属品を確実に保持することができる。
【００１６】
また、請求項２に係る考案によれば、上記請求項１に係る考案の構成を前提として、把手は、把持部と把持部の両端を基端として下方に延設される脚部とを備え、脚部の先端相互を結ぶラインを回動軸とし、脚部の上端から基端までの間で当該脚部が湾曲若しくは折曲した構成を備え、ケース本体若しくは蓋体の内面に沿って回動軸を配置することで、把持部が回動操作によりケースに対して出入可能となり、且つ、収納凹部の形成によって形成されるケース本体若しくは蓋体の内面に形成される凸部に把持部が干渉しない構成としたから、
前記収納凹部と、該収納凹部を含む蓋体の外面に設けた伸縮性のネット部材からなるポケットによる収納を実現した上で、付属品を収納した状態であっても、把手の引き出し及び収納を前記付属品等に干渉することがなく、円滑に行うことができる。
【００１７】
請求項３に係る考案によれば、上記請求項１若しくは請求項２に係る考案の構成を前提として、ケース本体と蓋体との閉状態における把手の回動範囲となる位置に開口部を形成し、該開口部をシート部材で開閉可能に被覆したことから、請求項１若しくは請求項２に係る考案の効果を奏するとともに、把手の引き出し及び収納を手軽に行うことができる。また、把手の引き出しのために本体と蓋体との合わせ部分に形成される開口部を遮蔽できるので、外部から異物が入ることもなく、良好な体裁を保つことができる。
【００１８】
請求項４に係る考案によれば、上記請求項３に係る考案の構成を前提として、シート部材の幅Ｗ１は、把手における内幅Ｗ２より小さいものとし、把手の引き出し状態においてシート部材が把手内を通って開口部を被覆する構成としたことから、把手の引き出し状態、収納状態のいずれにおいても、開口部の遮蔽が可能となり、外部から異物が入ることもなく良好な体裁を保つことができる。
【図面の簡単な説明】
【００１９】
【図１】図１は本考案の実施例に係る情報処理装置用把手付きケースを示す斜視図である。（実施例１）
【図２】図２は本考案の実施例に係る情報処理装置用把手付きケースにおける把手を引き出した状態の正面図である。（実施例１）
【図３】図３は本考案の実施例に係る情報処理装置用把手付きケースにおける把手を収納した状態を示す正面図である。（実施例１）
【図４】図４は本考案の実施例に係る情報処理装置用把手付きケースにおける把手を引き出した状態の右側面図である。（実施例１）
【図５】図５は本考案の実施例に係る情報処理装置用把手付きケースにおける把手を引き出した状態の背面図である。（実施例１）
【図６】図６は本考案の実施例に係る情報処理装置用把手付きケースにおける（a）把手を引き出した状態を示す平面図、（ｂ）把手を引き出した状態を示す底面図である。（実施例１）
【図７】図７は本考案の実施例に係る情報処理装置用把手付きケースにおける図２のＡ−Ａ断面図である。（実施例１）
【図８】図８は本考案の実施例に係る情報処理装置用把手付きケースにおける図３のＢ−Ｂ断面図である。（実施例１）
【図９】図９は本考案の実施例に係る情報処理装置用把手付きケースにお把手を引き出して開放した状態の正面側の斜視図である。（実施例１）
【図１０】図１０は本考案の実施例に係る情報処理装置用把手付きケースにおける把手を引き出して開放した状態の背面側の斜視図である。（実施例１）
【図１１】図１１は本考案の実施例に係る情報処理装置用把手付きケースの開放した状態における把手の（ａ）引き出し状態を示す拡大説明図、（ｂ）収納応対を示す拡大説明図である。（実施例１）
【図１２】図１２は本考案の実施例に係る情報処理装置用把手付きケースにおける把手を引き出して開放した状態を示す斜視図である。（実施例２）
【図１３】図１３は本考案の実施例に係る情報処理装置用把手付きケースにおける把手を引き出した状態を示す縦断面図である。（実施例２）
【図１４】図１４は本考案の実施例に係る情報処理装置用把手付きケースにおける把手を収納した状態を示す縦断面図である。（実施例２）
【図１５】図１５は本考案の実施例に係る情報処理装置用把手付きケースの開放した状態における把手の（ａ）引き出し状態を示す拡大説明図、（ｂ）収納応対を示す拡大説明図である。（実施例２）
【図１６】図１６は本考案の実施例に係る情報処理装置用把手付きケースにおける把手を引き出して開放した状態を示す斜視図である。（実施例３）
【図１７】図１７は本考案の実施例に係る情報勝利装置用把手付きケースにおける把手を引き出した状態を示す右側面図である。（実施例３）
【考案を実施するための形態】
【００２０】
収納性を考慮した把手を有する情報処理装置用把手付きケースにつき、付属品の収納に特化し、付属品の収納に関わらず把手の引き出し、収納が円滑に行え、且つ、付属品の収納状態が簡単に目視で確認できるという目的を、ケース本体の外面若しくは蓋体の外面の少なくともいずれかに、情報処理装置の付属品を収納するための収納凹部を形成し、収納凹部を含むケース本体の外面若しくは収納凹部を含む蓋体の外面に、伸縮性のネット部材からなるポケットを備え、把手は、把持部と把持部の両端を基端として下方に延設される脚部とを備え、脚部の先端相互を結ぶラインを回動軸とし、脚部の上端から基端までの間で当該脚部が湾曲若しくは折曲した構成を備え、ケース本体の内面若しくは蓋体の内面に沿って回動軸を配置することで、把持部が回動操作によりケースに対して出入可能となり、且つ、収納凹部の形成によって形成されるケース本体の内面若しくは蓋体の内面に形成される凸部に把持部が干渉しない構成とした情報処理装置用把手付きケースとすることで、実現した。
【実施例１】
【００２１】
本考案の実施例に係る情報処理装置用把手付きケース１は、概ね、縦１９５ｍｍ、横２７０ｍｍ、厚さ４８ｍｍ程度のサイズを有する情報処理装置用把手付きケース１である。保護対象となる情報処理装置画面として、サイズがいわゆる１０型サイズ程度のモバイルノートパソコンに対応するものである。
図１乃至図１１に示すように、ケース本体２と該ケース本体２に開閉可能に接続される蓋体３とを備えるケース１と、該ケース１に対して出入可能な把手４を備えた構成である。ケース本体２と蓋体３によって形成される収納部内に情報処理装置を収納するための収納空間１０を形成する。またケース本体２と蓋体との接続部分の内面側には、収納される情報処理装置を保護し、且つ、情報処理装置用把手付きケース１の底部における内部及び外部からの衝撃を緩和するための保護生地１３を設けてある。
ケース１のケース本体２及び蓋体３のいずれにおいても、図７に一部拡大断面図として示すように、表地１１にＥＶＡ（エチレンビニルアセテート）、裏地１２にクッション性を有するスポンジ層を用いた構成としている。
【００２２】
蓋体３の外面には、幅方向となる深さ７ｍｍ、縦１２０ｍｍ、横１４０ｍｍ程度の収納凹部３０を形成してある。前記収納凹部３０を含む蓋体３の外面に、伸縮性のネット部材６０からなるポケット６を備えている。ポケット６は上端縁を開口側とし、左右端及び下端を閉塞してなる。該ポケット６の上端縁には伸縮性を有するゴム帯６１を設けてある。上端縁のゴム帯６１は情報処理装置用ケースの外面に当接しており、通常状態において閉口状態が保たれている。
【００２３】
ケース本体２と蓋体３との合わせ部分には、上部中央位置を除き、スライドファスナ５を設けてある。ケース本体２と蓋体３の夫々の上部中央位置には、把手４の引き出し及び収納を行うための開口部８を形成してある。
【００２４】
更に、該開口部８を開閉するためのシート部材７の一端を背面側（即ちケース本体２の外面）の上部に取着した構成である。シート部材７の先端側の内面には雄面ファスナー部材７０を設けてあり、蓋体３の外面の上部には前記シート部材７の雄面ファスナー部材７０に対応する雌面ファスナー部材３４を取着してある。
【００２５】
蓋体３の内面には、前記収納凹部３０の形成に伴って形成される凸部３２が形成されており、該蓋体３の内面のうち前記凸部の形成されない位置には、フラッシュメモリ等の小物を収納するための小ポケット３３を設けてある。該小ポケット３３の構成は、ゴム帯３３０及びネット部材３３１からなり、上方に開口部３３２を有する。本考案のポケット６の構成に示すような収納凹部３０はない。尚、小ポケット３３は、収納凹部３０の形成に伴う凸部３２の形成によって生じる、収納空間１０内のデッドスペースを有効に活用することができる。
【００２６】
本実施例１に係る把手４は、図１１（ａ）（ｂ）に示すように、把持部４０と、把持部４０の内部を貫通する杆部４１の両端を基端４３として下方に延設される脚部４２と、各脚部４２の先端４４から外側へ屈曲して前記脚部４２の先端４４相互を結ぶラインを把手４の回動軸Ｌとする回動軸杆４５とを備え、脚部４２の先端４４から基端４３までの間で当該脚部４２が湾曲した湾曲部４２０を備えた構成としている。また、回動軸杆４５の左右の先端４４には拡径状態の抜止部４５０を形成してある。
【００２７】
蓋体３の内面に沿って把手４における左右の回動軸杆４５を夫々取付生地４６を用いて取着することで配置し、回動軸杆４５は前記蓋体３の内面と取付生地４６との間で回動可能な状態となる。
【００２８】
また、蓋体３の内面に形成された凸部３２は、前記把手４と干渉しない位置に配置されるため、把手４は、回動軸Ｌを有する回動軸杆４５を中心とする回動操作により、ケース１に対して出入可能となる。
【００２９】
以上の構成によって、実施例１に係る情報処理装置用把手付きケース１は、収納空間１０内に情報処理装置を収納し、ＡＣアダプタを含めた付属品類は、ポケット６のゴム帯６１を引っ張ってポケット６を開口状態とし、ポケット６内に形成されている収納凹部３０内に、ＡＣアダプタを含めた付属品類を差し込んで収納する。収納後、ポケット６におけるゴム帯６１とネット部材６０は伸縮性によって前記付属品類を締め付けて固定する。これらの締め付け力に加えて、収納凹部３０における内壁部３１が収納した付属品類の持ち運び時の振動等によってしょうずるずれを規制し、当該付属品類のポケット６からの飛び出しを防止する。
【実施例２】
【００３０】
本考案の実施例２に係る情報処理装置用把手付きケース１は、ケース本体２及び蓋体３の構成については、実施例１に係る情報処理装置用把手付きケース１と共通する。本実施例２に係る情報処理装置用把手付きケース１は、把手４の構造及び配置について、実施例１と相違する。
【００３１】
本実施例２に係る情報処理装置用把手付きケース１における把手４は、図１２乃至図１４に示すように、蓋体３の上部内面に取付生地４６で取着してあり、該把手４は全体として概ね矩形を有する環状として形成したものである。
【００３２】
具体的には、図１５（ａ）（ｂ）に示すように、金属製線材によって矩形輪郭を形成し、その中央部を杆部４１とし、該杆部４１の両端を先端４４として脚部４２を屈曲形成し、更に脚部４２の基端４３から内側へ線材を屈曲して回動軸Ｌを有する回動軸杆４５を形成し、前記杆部４１を把持部４０によって被覆した構成である。また、脚部４２の左右の対応する箇所には、湾曲部４２０を形成してある。線材の先端相互が突き合せ状態で回動軸杆４５を形成しており、該突き合せ部分に取付生地４６を被覆して蓋体３の上部内面に取着してある。
【００３３】
本実施例２においても、図１３及び図１４に示すように、実施例１同様に、把手４の回動によって、ケース本体２における凸部３２と当該把手４が干渉しない構成である。
【００３４】
また、本考案の他の実施例として、例えば、図１６及び図１７に示すように、情報処理装置用把手付きケース１は、ケース本体２と蓋体３の双方に把手４を有するものであってもよい。
【００３５】
更に、上記実施例においては、いずれも収納凹部３０を蓋体３に設けているが、本考案によれば、収納凹部３０をケース本体２に設けることもできる。
【００３６】
本考案においては、上記各実施例において示した湾曲部４２０における湾曲半径は特に限定するものではなく折曲した形状を含む。
【００３７】
また、上記実施例はいずれも画面サイズがいわゆる１０型サイズ程度のモバイルノートパソコンに対応したものであるが、他の画面サイズ（例えば８．９型等）の情報処理装置を対象とすることができる。
【００３８】
また、情報処理装置を収納した状態では通常、把手は引き出した状態として使用するが、誤って把手を収納した状態で情報処理装置を収納しても、把持部を非金属製の柔軟な部材で形成しておくことによって、把手を収納状態とした上で情報処理装置を収納した際には、厚みのある収納部のみが情報処理装置と当接するため、当該情報処理装置に傷がつくこともない。また把持部自体が、情報処理装置用把手付きケース内におけるストッパとしてはたらき、当該情報処理装置用把手付きケース内での情報処理装置の移動を抑え、不用意な落下の危険性を低減することができる。
【符号の説明】
【００３９】
１        情報処理装置用把手付きケース
１０      収納空間
１１      表地
１２      裏地
１３      保護生地
２        ケース本体
３        蓋体
３０      収納凹部
３１      内壁部
３２      凸部
３３      小ポケット
３３０    ゴム帯
３３１    ネット部材
３３２    開口部
３４      雌面ファスナー部材
４        把手
４０      把持部
４１      杆部
４２      脚部
４２０    湾曲部
４３      基端
４４      先端
４５      回動軸杆
４５０    抜止部
４６      取付生地
５        スライドファスナ
６        ポケット
６０      ネット部材
６１      ゴム帯
７        シート部材
７０      雄面ファスナー部材
８        開口部
Ｌ        回動軸
Ｗ１      幅
Ｗ２      内幅
【図１】
0003149829.tif 000003
【図２】
0003149829.tif 000004
【図３】
0003149829.tif 000005
【図４】
0003149829.tif 000006
【図５】
0003149829.tif 000007
【図６】
0003149829.tif 000008
【図７】
0003149829.tif 000009
【図８】
0003149829.tif 000010
【図９】
0003149829.tif 000011
【図１０】
0003149829.tif 000012
【図１１】
0003149829.tif 000013
【図１２】
0003149829.tif 000014
【図１３】
0003149829.tif 000015
【図１４】
0003149829.tif 000016
【図１５】
0003149829.tif 000017
【図１６】
0003149829.tif 000018
【図１７】
0003149829.tif 000019